(57)【要約】【課題】可能な限り足の踵の輪郭の形態に忠実に編成される靴下を提供し、従来の靴下の、足首の周辺に弛みが発生する可能性があること等の課題を解決することを目的とする。【解決手段】図１に示したように、本発明の靴下の踵部Ｃ〜Ｇは、第１のゴアラインｇ１と、この第１のゴアラインｇ１の編成前に編成される、第２及び第３のゴアラインｇ２、ｇ３と、前記第１のゴアラインｇ１の編成後に編成される、第４及び第５のゴアラインｇ４、ｇ５を備える。そして前記第２及び第５のゴアラインを編成する編目数を１０本とし、前記第３及び第４のゴアラインを編成する編目数を６本とする。その結果、足の踵の輪郭の形態に忠実に編成される靴下を提供することができる。【選択図】図１
2014148760.tif 000002
【特許請求の範囲】
【請求項１】
靴下の踵部に、第１のゴアラインと、この第１のゴアラインの編成前に編成される第２及び第３のゴアラインと、前記第１のゴアラインの編成後に編成される第４及び第５のゴアラインを備え、
前記第１のゴアラインは、靴下編機の編針を順次不動作の位置に針上げして踵の約半分を覆う範囲を編成し、次いで前記編針を順次１本ずつ動作位置に針下げして踵の大部分を覆う範囲を編成することで形成され、その編成の開始と終了となる始点を備え、
前記第２のゴアラインは、前記始点に向けて、予め所定編目数の針上げ状態から、順次針下げさせて編成され、
前記第３のゴアラインは、前記始点から所定編目数で順次針上げさせた後、同編目数で順次針下げさせて編成され、
前記第４のゴアラインは、前記始点から所定編目数で順次針上げさせた後、同編目数で順次針下げさせて編成され、
前記第５のゴアラインは、前記始点から、所定編目数で順次針上げさせて、そのまま踵部の編成を終了させることにより編成されると共に、
前記第２及び第５のゴアラインの所定編目数は、前記第３のゴアライン及び第４のゴアラインの所定編目数より多いことを特徴とする靴下。
【請求項２】
靴下の踵部に、第１のゴアラインと、この第１のゴアラインの編成前に編成される第２及び第３のゴアラインと、前記第１のゴアラインの編成後に編成される第４及び第５のゴアラインを備え、
前記第１のゴアラインは、靴下編機の編針を順次不動作の位置に針上げして踵の約半分を覆う範囲を編成し、次いで前記編針を順次１本ずつ動作位置に針下げして踵の大部分を覆う範囲を編成することで形成され、その編成の開始と終了となる始点を備え、
前記第２のゴアラインは、前記始点に向けて、予め所定編目数の針上げ状態から、順次針下げさせて編成され、
前記第３のゴアラインは、前記始点から所定編目数で順次針上げさせた後、同編目数で順次針下げさせて編成され、
前記第４のゴアラインは、前記始点から所定編目数で順次針上げさせた後、同編目数で順次針下げさせて編成され、
前記第５のゴアラインは、前記始点から、所定編目数で順次針上げさせて、そのまま踵部の編成を終了させることにより編成されると共に、
前記第３及び第４のゴアラインの所定編目数は、前記第２及び第５のゴアラインの所定編目数より多いことを特徴とする靴下。
【請求項３】
靴下の踵部に、第１のゴアラインと、この第１のゴアラインの編成前に編成される第２及び第３のゴアラインと、前記第１のゴアラインの編成後に編成される第４のゴアラインを備え、
前記第１のゴアラインは、靴下編機の編針を順次不動作の位置に針上げして踵の約半分を覆う範囲を編成し、次いで前記編針を順次１本ずつ動作位置に針下げして踵の大部分を覆う範囲を編成することで形成され、その編成の開始と終了となる始点を備え、
前記第２のゴアラインは、前記始点に向けて、予め所定編目数の針上げ状態から、順次針下げさせて編成され、
前記第３のゴアラインは、前記始点から所定編目数で順次針上げさせた後、同編目数で順次針下げさせて編成され、
前記第４のゴアラインは、前記始点から、所定編目数で順次針上げさせて、そのまま踵部の編成を終了させることにより編成されると共に、
前記第２のゴアラインの所定編目数は、前記第３のゴアラインの所定編目数より多いことを特徴とする靴下。
【請求項４】
靴下の踵部に、第１のゴアラインと、この第１のゴアラインの編成前に編成される第２のゴアラインと、前記第１のゴアラインの編成後に編成される第３及び第４のゴアラインを備え、
前記第１のゴアラインは、靴下編機の編針を順次不動作の位置に針上げして踵の約半分を覆う範囲を編成し、次いで前記編針を順次１本ずつ動作位置に針下げして踵の大部分を覆う範囲を編成することで形成され、その編成の開始と終了となる始点を備え、
前記第２のゴアラインは、前記始点に向けて、予め所定編目数の針上げ状態から、順次針下げさせて編成され、
前記第３のゴアラインは、前記始点から所定編目数で順次針上げさせた後、同編目数で順次針下げさせて編成され、
前記第４のゴアラインは、前記始点から、所定編目数で順次針上げさせて、そのまま踵部の編成を終了させることにより編成されると共に、
前記第４のゴアラインの所定編目数は、前記第３のゴアラインの所定編目数より多いことを特徴とする靴下。
【発明の詳細な説明】
【技術分野】
【０００１】
本発明は、足の踵を覆う靴下の踵部について、その構成に改良を加えた靴下に関するものである。
【背景技術】
【０００２】
靴下は、自動丸編機を使用して口ゴム部、脚部を編成し、引き続き同機のニードルシリンダＳの半回転動作で踵部を編成し、次いで甲部及び底部を筒編に編成し、最後に爪先部を編成する。
【０００３】
前記踵部の編成は、足首の形に合わせ、靴下の脚部と甲部及び底部との間に一定の角度を与えるもので、ニードルシリンダＳの短バット針Ｎ１を一往復毎に両端ＮＥ、ＮＥから１本ずつ順次不動作の位置に上げて編み幅を狭めて編成し、次いで不動作の位置に上げられた短バット針Ｎ１を両側から順次１本ずつ動作位置に下ろして編み幅を増やして編成している（図３参照）。
この踵部の編成過程において、踵部の内外両側面に、斜め約４５度の方向に直線状の編地同士の境目が粗い目の線（ゴアライン）として形成される。
なお、このゴアラインは、本項目（背景技術）において、通常ゴアラインと称する。
【０００４】
前記通常ゴアラインのみでは、脚部と甲部及び底部とで形成される角度が浅く、そのままその靴下を着用すると、脚部と甲部との境界に弛みが発生し、かかる弛みを解消させるため、無理に脚部を引っ張り上げて着用し、そのまま歩行すると、脚部、踵部が下方に引き寄せられてずり落ち易いという欠点がある。
また、スニーカソックスは靴を脱ぐときに、スニーカソックスまでが一緒に脱げてしまうことがあり、かかる事態はゴム入りの糸を用いることで防止できる場合もあるが、糸の種類を問題としないことが望ましい。
【０００５】
このような問題点を解消させる靴下として、次の特許文献１及び特許文献２が開示されている。
特許文献１に係る靴下は、前記通常ゴアラインの始点から上方に向かう上ゴアラインと、この上ゴアラインに対して、その始点から反対方向に向かう下ゴアラインとを備えている。
かかる靴下においては、「前記ゴアラインによって形成される踵部に加えて、上下のゴアラインにより上下踵部を備えているので、筒状編地の踵部を大きくすることができ、踵にフィットさせることができ、踵が締め付けられず、下方に引っ張られても、ずり下がりを防ぐことができる」（段落０００９）とされている。
【０００６】
特許文献２に係る靴下においては、その踵部にゴアラインＱ’Ｕ、ゴアラインＰＱ及びゴアラインＱ（Ｑ’）Ｒ，ＲＳ，ＴＲからなるＹ字状のゴアラインが開示されている。
そして、同文献の段落００３０には、「このように本発明による実施例では、追加の目増やし領域ＡＩ及び追加の目減らし領域ＡＤが設けられるので、踵部４が前後方向にも横方向にも大きくされることになる。その結果、踵部４がユーザの踵を包み込むようになる。更に、自然状態でレッグ部３とソール部５とのなす角度がほぼ直角となり、靴下１がユーザの足に沿った形状となる。したがって、靴下１がユーザの足にフィットするようになる」旨が記載されている。
【先行技術文献】
【特許文献】
【０００７】
【特許文献１】実用新案登録第３１５７４５９号公報
【特許文献２】特開２０１１−５８１１１号公報
【発明の概要】
【発明が解決しようとする課題】
【０００８】
しかし、特許文献２の靴下に関して、図２を参酌しつつその課題を指摘すると、次のようである。
人間の足の下腿ＳＤと踵Ｋとの間の足首ＡＫの周囲は、除除に巾が締り且つ細くなる輪郭（以下、上括部ＵＫ）を備えている。また足底ＡＺの踵Ｋから土踏まずＴＦとの間も、除除に巾が締り且つ細くなっている輪郭（以下、下括部ＳＫ）を備えているが、上記靴下の編成は、かかる輪郭に必ずしも対応していない。
【０００９】
より具体的な課題は、第１に、特許文献２の靴下のレッグ部３から踵部４への編成は、目増やし領域ＡＩから通常ゴアラインに相当するゴアラインＱ（Ｑ’）Ｒに移行されるが、かかる編成ではその編み巾が除除に拡大されるべき上括部ＵＫの周囲の輪郭に対応せず、足首ＡＫの周辺に弛みが発生する可能性がある。第２に、同靴下の踵部４からソール部５への編成は、踵部の編み巾が除除に縮小されるべき下括部ＳＫの周辺の輪郭に対応せず、弛みが発生する可能性がある。第３に、上記靴下のＹ字状のゴアラインが踵Ｋの包み込みを意識しすぎて、逆に弛みが発生し易い、こと等である。
【００１０】
そこで、本発明は、可能な限り足の踵の輪郭の形態に忠実に編成される靴下を提供し、上記各課題第１〜第３の課題を解決することを目的とする。
【課題を解決するための手段】
【００１１】
上記課題を解決するため、本発明の靴下は、その踵部に第１のゴアラインと、この第１のゴアラインの編成前に編成される第２及び第３のゴアラインと、前記第１のゴアラインの編成後に編成される第４及び第５のゴアラインを備え、前記第１のゴアラインは、靴下編機の編針を順次不動作の位置に針上げして踵の約半分を覆う範囲を編成し、次いで前記編針を順次１本ずつ動作位置に針下げして踵の大部分を覆う範囲を編成することで形成され、その編成の開始と終了となる始点を備え、前記第２のゴアラインは、前記始点に向けて、予め所定編目数の針上げ状態から、順次針下げさせて編成され、前記第３のゴアラインは、前記始点から所定編目数で順次針上げさせた後、同編目数で順次針下げさせて編成され、前記第４のゴアラインは、前記始点から所定編目数で順次針上げさせた後、同編目数で順次針下げさせて編成され、前記第５のゴアラインは、前記始点から、所定編目数で順次針上げさせて、そのまま踵部の編成を終了させることにより形成されると共に、前記第２及び第５のゴアラインの所定編目数は、前記第３及び第４のゴアラインの所定編目数より多いことを特徴とした（請求項１の発明）。
【００１２】
本発明の靴下では、第１のゴアラインの始点に向かう第２のゴアラインの所定編目数が、前記始点から順次針上げさせた後、順次針下げさせて編成される前記第３のゴアラインの所定編目数より多いので、靴下の踵部上辺の編み巾が除除に拡大され、前記上括部ＵＫから踵Ｋにかけての輪郭に対応させることができる。
また、第１のゴアラインの始点から、そのまま踵部の編成を終了させる第５のゴアラインの所定編目数が、前記始点から順次針上げさせた後、順次針下げさせて編成される前記第４のゴアラインの所定編目数より多いので、靴下の踵部下辺の編み巾が除除に縮小され、前記踵Ｋから下括部ＳＫにかけての輪郭に対応させることができる。
【００１３】
上記課題を解決するため、本発明の靴下は、靴下の踵部に、第１のゴアラインと、この第１のゴアラインの編成前に編成される第２及び第３のゴアラインと、前記第１のゴアラインの編成後に編成される第４及び第５のゴアラインを備え、前記第１のゴアラインは、靴下編機の編針を順次不動作の位置に針上げして踵の約半分を覆う範囲を編成し、次いで前記編針を順次１本ずつ動作位置に針下げして踵の大部分を覆う範囲を編成することで形成され、その編成の開始と終了となる始点を備え、前記第２のゴアラインは、前記始点に向けて、予め所定編目数の針上げ状態から、順次針下げさせて編成され、前記第３のゴアラインは、前記始点から所定編目数で順次針上げさせた後、同編目数で順次針下げさせて編成され、前記第４のゴアラインは、前記始点から所定編目数で順次針上げさせた後、同編目数で順次針下げさせて編成され、前記第５のゴアラインは、前記始点から、所定編目数で順次針上げさせて、そのまま踵部の編成を終了させることにより形成されると共に、前記第３及び第４のゴアラインの所定編目数は、前記第２及び第５のゴアラインの所定編目数より多いことを特徴とする靴下（請求項２の発明）。
【００１４】
本発明の靴下では、前記第３のゴアラインの所定編目数が、前記第２のゴアラインの所定編目数より多いので、前記第３のゴアラインによる靴下の踵部上辺の編み巾が、第２のゴアラインによる編み巾より縮むこととなり、前記上括部ＵＫの輪郭に対応させることができる。
また、前記第４のゴアラインの所定編目数が、前記第５のゴアラインの所定編目数より多いので、前記第４のゴアラインによる靴下の踵部上辺の編み巾が、第５のゴアラインによる編み巾より縮むこととなり、前記下括部ＳＫの輪郭に対応させることができる。
【００１５】
上記課題を解決するため、本発明の靴下は、靴下の踵部に、第１のゴアラインと、この第１のゴアラインの編成前に編成される第２及び第３のゴアラインと、前記第１のゴアラインの編成後に編成される第４のゴアラインを備え、前記第１のゴアラインは、靴下編機の編針を順次不動作の位置に針上げして踵の約半分を覆う範囲を編成し、次いで前記編針を順次１本ずつ動作位置に針下げして踵の大部分を覆う範囲を編成することで形成され、その編成の開始と終了となる始点を備え、前記第２のゴアラインは、前記始点に向けて、予め所定編目数の針上げ状態から、順次針下げさせて編成され、前記第３のゴアラインは、前記始点から所定編目数で順次針上げさせた後、同編目数で順次針下げさせて編成され、前記第４のゴアラインは、前記始点から、所定編目数で順次針上げさせて、そのまま踵部の編成を終了させることにより形成されると共に、前記第２のゴアラインの所定編目数は、前記第３のゴアラインの所定編目数より多いことを特徴とする（請求項３の発明）。
【００１６】
本発明の靴下では、第２のゴアラインの所定編目数が、前記第３のゴアラインの所定編目数より多いので、靴下の踵部上辺の編み巾が除除に拡大され、前記上括部ＵＫから踵Ｋにかけての輪郭に対応させることができる。
【００１７】
上記課題を解決するため、靴下の踵部に、第１のゴアラインと、この第１のゴアラインの編成前に編成される第２のゴアラインと、前記第１のゴアラインの編成後に編成される第３及び第４のゴアラインを備え、前記第１のゴアラインは、靴下編機の編針を順次不動作の位置に針上げして踵の約半分を覆う範囲を編成し、次いで前記編針を順次１本ずつ動作位置に針下げして踵の大部分を覆う範囲を編成することで形成され、その編成の開始と終了となる始点を備え、
前記第２のゴアラインは、前記始点に向けて、予め所定編目数の針上げ状態から、順次針下げさせて編成され、前記第３のゴアラインは、前記始点から所定編目数で順次針上げさせた後、同編目数で順次針下げさせて編成され、前記第４のゴアラインは、前記始点から、所定編目数で順次針上げさせて、そのまま踵部の編成を終了させることにより形成されると共に、前記第４のゴアラインの所定編目数は、前記第３のゴアラインの所定編目数より多いことを特徴とする（請求項４の発明）。
【００１８】
本発明の靴下では、第４のゴアラインの所定編目数が、前記第３のゴアラインの所定編目数より多いので、靴下の踵部下辺の編み巾が除除に縮小され、前記踵Ｋから下括部ＳＫにかけての輪郭に対応させることができる。
【発明の効果】
【００１９】
本発明は、上記各課題第１〜第３の課題を解決することで、可能な限り足の踵の輪郭の形態に忠実に編成される靴下を提供することができる。
【図面の簡単な説明】
【００２０】
【図１】靴下の踵部の展開図を付加した靴下の側面図である。
【図２】（１）〜（２）は同靴下の作用効果を説明するための足の各側面図である。
【図３】靴下の実施例に使用する自動丸編機のニードルシリンダの要部平面図である。
【図４】（１）〜（７）は実施例１に係る靴下の製造工程を示す工程図である。
【図５】実施例３に係る靴下の側面図である。
【図６】実施例４に係る靴下の側面図である。
【図７】実施例５に係る靴下の側面図である。
【発明を実施するための形態】
【００２１】
本発明の靴下の踵部Ｃ〜Ｇは、図１に示したように、第１のゴアラインｇ１と、この第１のゴアラインｇ１の編成前に編成される、第２及び第３のゴアラインｇ２、ｇ３と、前記第１のゴアラインｇ１の編成後に編成される、第４及び第５のゴアラインｇ４、ｇ５を備える。
ここで、靴下の踵部Ｃ〜Ｇは、靴下の脚部Ｂと甲部Ｈ及び底部Ｉ間で編成される領域である。
【００２２】
前記第１のゴアラインｇ１は、靴下編機の自動丸編機において、編針としての短バット針Ｎ１の両端ＮＥ、ＮＥ（図３参照）から、ニードルシリンダＳを半回転動作させ、１本ずつ順次不動作の位置に上げて編み幅を狭めて編成し目減りさせ、次いで不動作の位置に上げられた短バット針Ｎ１を両側から順次１本ずつ動作位置に下ろして編み幅を増やし、両端ＮＥ、ＮＥまで編成することにより形成される。
前記短バット針Ｎ１の針上げにより、足の踵の概ね上半分を覆うことが可能な範囲が編成され、次いで同針の針下げにより、踵の概ね大部分を覆うことが可能な範囲が編成される。
【００２３】
前記第１のゴアラインｇ１の編成の始め位置及び編成の終わり位置が図１の「０」（以下、始点とも称する）で示され、短バット針Ｎ１の針上げから針下げに転換される位置が図１の「３」で示される。
【００２４】
前記第２のゴアラインｇ２は、予め両端ＮＥ、ＮＥの短バット針Ｎ１から所定編目数を針上げ（目減し）させた状態から前記始点「０」に向けて編成され、順次針下げ（目増し）させて編み幅を増やし、両端ＮＥ、ＮＥまで編成することにより形成される。
前記第２のゴアラインｇ２の編成の始め位置が図１の「１」で示され、編成の終わり位置が図１の「０」で示される。
【００２５】
前記第３のゴアラインｇ３は、前記始点０に対応する両端ＮＥ、ＮＥの短バット針Ｎ１から所定編目数で順次を針上げさせた後、順次針下げさせて編み幅を増やし、両端ＮＥ、ＮＥまで編成することにより形成される。
前記第３のゴアラインｇ３の編成の始め位置及び編成の終わり位置が図１の「０」で示され、針上げから針下げに転換される位置が図１の「２」で示される。
【００２６】
前記第４のゴアラインｇ４は、前記始点「０」に対応する両端ＮＥ、ＮＥの短バット針Ｎ１から順次所定編目数を針上げさせた後、順次針下げさせて編み幅を増やし、両端ＮＥ、ＮＥまで編成することにより形成される。
前記第４のゴアラインｇ４の編成の始め位置及び編成の終わり位置が図１の「０」で示され、針上げから針下げに転換される位置が図１の「４」で示される。
【００２７】
前記第５のゴアラインｇ５は、前記始点「０」に対応する両端ＮＥ、ＮＥの短バット針Ｎ１から、順次所定編目数を針上げさせて編み幅を減らし、そのまま踵部の編成を終了させることにより形成される。
前記第５のゴアラインｇ５の編成の始め位置が図１の「０」で示され、編成の終わり位置が図１の「５」で示される。
【００２８】
前記第２のゴアラインｇ２により、目増やし領域（目増領域）Ｄ１が編成され、前記第３のゴアラインｇ３により、目減らし領域（目減領域）Ｅ１及び目増領域Ｅ２が編成される。
前記第４のゴアラインｇ４により、目減領域Ｆ１及び目増領域Ｆ２が編成され、前記第５のゴアラインｇ５により目減領域Ｇ１が編成される。
【００２９】
前記第２のゴアラインｇ２から前記第５のゴアラインｇ５の針上げ及び／又は針下げの所定編目数が大きくなれば、踵部Ｄ〜Ｇは大きくなり、一方、その所定編目数が小さくなれば、踵部Ｄ〜Ｇは小さくなる。
また、踵部Ｅの針上げから針下げに転換される位置「２」及び踵部Ｆの針上げから針下げに転換される位置「４」では、編目数が最小数となるので踵部Ｅ及び踵部Ｆを括る方向に力が作用することとなる。
なお、前記第２〜第５のゴアラインｇ２〜ｇ５の所定編目数は、図２に示した下腿ＳＤと踵Ｋとの間の足首ＡＫの周囲、足底ＡＺの踵Ｋから土踏まずＴＦとの間の周囲の輪郭に対応させて決定される。
【実施例１】
【００３０】
実施例１を図４に基づいて説明する。
綿１００％の５３１デニールを、裏糸にＦＴＹ３０×７５の糸を、それぞれの給糸口Ｌ（図３参照）に入れ、＃９０のゴム糸をゴム挿入口（図示ぜす）に入れて、“１ＢＹ１”のゴム編みで編成を始め、巾７センチメートル、長さ４センチメートルの口ゴム部Ａを筒編する。
【００３１】
次に、“１ＢＹ１”のゴム編みの代わりに“２ＢＹ１”のリブ編にして巾８センチメートル長さ１６メンチメートルの筒編とすることにより脚部Ｂを編成し、踵部Ｃ〜Ｇの編成に移行する（以上、図４（１）参照）
【００３２】
自動丸編機のニードルシリンダーＳを半円周（１／２Ｒ）の巾の編成位置にある短バット針Ｎ１を踵を編成する直前に両端ＮＥから「０〜１」の目数に応じて各１０本ずつを不動作位置（針上げ）に上げて踵部編成の半回転編成を開始する。
不動作位置に上げられた短バット針Ｎ１の両端から順次各１本ずつ動作位置に下げて（針下げ）編幅を増やして編成し、両端各１０本ずつが下げ終わった時点で、第２のゴアラインの「１〜０」の部分で踵部Ｄが編成される（以上、図４（２）参照）
【００３３】
更に「０」の始点から「２」の末端まで短バット針Ｎ１を両端ＮＥから順次各６本ずつ不動作位置に上げ（針上げ）編幅を狭めて編成する。
次に「２」の末端から「０」の始点まで不動作位置にある短バット針Ｎ１を両端から各１本ずつ動作位置まで順次各６本を下げて（針下げ）編幅を増やして、第３のゴアラインの「０〜２」の部分で踵部Ｅを編成する（以上、図４（３）参照）。
【００３４】
更に「０」の始点から「３」の末端まで短バット針Ｎ１を両端ＮＥから順次各２３本ずつ不動作位置に上げ（針上げ）編幅を狭めて編成する。
次に「３」の末端から「０」の始点まで不動作位置にある短パット針Ｎ１を両端から各１本ずつ動作位置まで順次各２３本を下げて（針下げ）編幅を増やして第１のゴアラインの「０〜３」の部分で踵部Ｃを編成する（以上、図４（４）、（５）参照）。
【００３５】
更に「０」の始点から「４」の末端まで短バット針Ｎ１を両端ＮＥから順次各６本ずつ不動作位置に上げ（針上げ）編幅を狭めて編成する。
次に「４」の末端から「０」の始点まで不動作位置にある短パット針Ｎ１を両端から各１本ずつ動作位置まで順次各６本を下げて（針下げ）編幅を増やして第４のゴアラインの「０〜４」の部分で踵部Ｆを編成する（以上、図４（５）参照）。
【００３６】
更に「０」の始点から「５」の末端まで短バット針を両端ＮＥから順次各１０本ずつ不動作位置に上げ（針上げ）、第５のゴアラインの「０〜５」を編成し、その状態のまま踵部を終了させ、踵部Ｇを形成する（以上、図４（６）参照）。
【００３７】
次に、甲部Ｈを“２ＢＹ１”のリブ編みで、底部Ｉを平編みで、巾８センチメートル、長さ１３センチメートルの筒編に編成する（以上、図４（７）参照）。
最後に、両端から２３本ずつ目減り（針上げ）、目増し（針下げ）をして爪先部Ｊを編成する。
【００３８】
この実施例１では、第２及び第３のゴアラインｇ２、ｇ３が除除に編目数を減らすように編成されているので、除除に踵部上辺の巾が拡大され、前記上括部ＵＫの周囲の輪郭、特に上括部ＵＫから踵Ｋにかけての輪郭に対応できる踵部となっている。
また、第４及び第５のゴアラインｇ４、ｇ５が除除に編目数を増やすように編成されているので、除除に踵部下辺の巾が小さくなり、前記下括部ＳＫ周辺の輪郭、特に前記踵Ｋから下括部ＳＫにかけての輪郭に対応する踵部となる。
また、前記始点を中心にして、踵部Ｃ〜Ｇが除除に膨らみ縮小するので、踵の形態が忠実に編成される靴下を提供することができる。
さらに、靴下の側面の形状がＬ字型（直角）に編成され、人の足に近い形となり、かかる靴下を装着した場合に、足と靴下のフィット感が高まり、ズリ落防止の効果が得られる。
前記第２〜第５のゴアラインｇ２〜ｇ５の所定編目数は、図２に示した下腿ＳＤと踵Ｋとの間の足首ＡＫの周囲、足底ＡＺの踵Ｋから土踏まずＴＦとの間の周囲の輪郭に対応させて決定されるものであり、６本、１０本に限定されるものではなく、男女、年齢、靴下の用途等に左右される各種足形に応じて、調整される。
【実施例２】
【００３９】
前記第２のゴアラインｇ２の針下げ数を１０本から６本に、前記第３のゴアラインｇ３の針上げ及び針下げ数を６本から１０本に変更してもよい。
また、前記第４のゴアラインｇ４の針上げ及び針下げ数を６本から１０本に、前記第５のゴアラインｇ５の針上げ数を１０本から６本に変更してもよい。
そして、第２のゴアラインｇ２による目減領域Ｅ１及び目増領域Ｅ２に上括部ＵＫが覆われるように編成することにより、靴下を着用した場合に、足の輪郭にフィットさせることができる靴下となる。
即ち、前記第３のゴアラインｇ３による靴下の踵部上辺の編み巾が、第２のゴアラインｇ２による編み巾より縮むこととなり、かかる靴下を着用した際の拡がろうとする力に対する抗力として作用し、前記上括部ＵＫの輪郭に対応させることができる。
さらに、第３のゴアラインｇ３による目減領域Ｆ１及び目増領域Ｆ２に下括部ＳＫが覆われるように編成することにより、靴下を着用した場合に、足の輪郭にフィットさせることができる靴下となる。
即ち、前記第４のゴアラインｇ４の所定編目数が、前記第５のゴアラインｇ５の所定編目数より多いので、前記第４のゴアラインｇ４による靴下の踵部上辺の編み巾が、第５のゴアラインｇ５による編み巾より縮むこととなり、かかる靴下を着用した際の拡がろうとする力に対する抗力として作用し、前記下括部ＳＫの輪郭に対応させることができる。
その他の構成は、実施例１と同様であり、同様の作用効果を奏する。
【実施例３】
【００４０】
実施例３に係る靴下の踵部は、図５に図示したように、第１のゴアラインｇ１と、この第１のゴアラインｇ１の編成前に編成される第２及び第３のゴアラインｇ２、ｇ３と、前記第１のゴアラインｇ１の編成後に編成される第４のゴアラインｇ４０を備えている。
上記各実施例の場合、５本のゴアラインを編成していたが、本実施例では４本のゴアラインを編成することとし、各実施例のように前記踵部Ｃまでを編成した後は、その第４のゴアラインｇ４を編成せずに、始点「０」から「５」まで順次各１０本ずつ針上げして、第４のゴアラインｇ４０の「０〜５」を編成し、その状態のまま踵部を終了させ、踵部Ｇを形成するものである。
その他の構成は、上記実施例と同様であり、同様の作用効果を奏するもので、この実施例３に係る靴下では、第１のゴアラインｇ１の編成前に編成される第２及び第３のゴアラインｇ２、ｇ３により、上記各実施例と同様な作用効果を得ることができる。
【実施例４】
【００４１】
実施例４に係る靴下の踵部は、図６に図示したように、第１のゴアラインｇ１と、この第１のゴアラインｇ１の編成前に編成される第２のゴアラインｇ２と、前記第１のゴアラインｇ１の編成後に編成される第３及び第４のゴアラインｇ３０、ｇ４０を備えている。
上記実施例３の場合と同様に、４本のゴアラインを編成することとし、各実施例のように第２のゴアラインｇ２を編成した後は、第３のゴアラインｇ３を編成せずに、始点「０」から前記第１のゴアラインｇ１を編成に移行し、その後、前記第４のゴアラインｇ４に相当する第３のゴアラインｇ３０を編成し、前記第５のゴアラインｇ５に相当する第４のゴアラインｇ４０を編成するものである。
その他の構成は、上記実施例と同様であり、同様の作用効果を奏するもので、この実施例４に係る靴下では第３及び第４のゴアラインｇ３０、ｇ４０により、上記各実施例と同様な作用効果を得ることができる。
【実施例５】
【００４２】
図７に示したように、靴下の脚部Ｂをサポート部により構成してもよい。
この脚部Ｂ  は“３ＢＹ１”により筒編される。
その他の構成は、上記各実施例と同様であり、同様の作用効果を奏するが、脚部Ｂがサポート部により構成されるので、かかる靴下を装着した場合に、装着者にその踵Ｋに対する前記踵部Ｃ〜Ｇによるフィット感と、足の下腿ＳＤに対する靴下の脚部Ｂによるフィット感が相乗効果的に高まる。
【００４３】
本発明は以上説明した実施例に限定されるものではなく、多くの変形が本発明の技術的思想内で当分野において、通常の知識を有する者により可能である。
【符号の説明】
【００４４】
Ａ  口ゴム部                            Ｂ  脚部
Ｃ〜Ｇ  踵部                            Ｈ  甲部
Ｉ  底部                                Ｊ  爪先部
ｇ１  第１のゴアライン                  ｇ２  第２のゴアライン
ｇ３  ｇ３０  第３のゴアライン          ｇ４  ｇ４０  第４のゴアライン
ｇ５  第５のゴアライン
Ｎ１  短バット針                        Ｎ２  長バット針
ＮＥ、ＮＥ  両端                        Ｓ  ニードルシリンダ
Ｄ１  目増やし領域（目増領域）          Ｅ１  目減らし領域（目減領域）
Ｅ２  目増領域                          Ｆ１  目減領域
Ｆ２  目増領域                          Ｇ１  目減領域
ＳＤ  下腿                              Ｋ  踵
ＡＫ  足首                              ＵＫ  上括部
ＡＺ  足底                              ＴＦ  土踏まず
ＳＫ  下括部
０  始点
【図１】
2014148760.tif 000003
【図２】
2014148760.tif 000004
【図３】
2014148760.tif 000005
【図４】
2014148760.tif 000006
【図５】
2014148760.tif 000007
【図６】
2014148760.tif 000008
【図７】
2014148760.tif 000009